(57)【要約】【課題】  撮像装置において記録容量不足を検知した際、差分の少ないと想定される画像群を表示し、ユーザにとって不要であると思われる撮影済み画像の検索を短時間で容易に行い、画像の削除を可能にする。【解決手段】  画像および画像と撮影に関するの属性情報を表示する表示手段と、画像が如何なる撮影モードで撮影され、どの画像群に所属するかを管理する管理手段と、記録可能な画像量枚数や動画時間を算出する算出手段と、記録手段の容量不足を検出する検出手段と、検出手段が容量不足を検出した際に、撮影モード別の各画像群を削除候補としてを表示するように制御する制御手段とを有する撮像装置。【選択図】  図１
2006115289.tif 000002
【特許請求の範囲】
【請求項１】
画像を記録する記録手段と、画像および画像の属性情報を表示する表示手段と、画像が如何なる撮影モードで撮影された画像群に所属するかを管理する管理手段と、前記記録手段に対して記録可能な画像量を算出する算出手段と、前記算出手段により前記記録手段の容量不足を検出する検出手段と、前記検出手段が容量不足を検出した際に、前記管理手段によって管理されている各画像群別に削除候補を表示するように制御する制御手段とを有する撮像装置。
【請求項２】
請求項1記載の撮像装置において、前記撮影モードとは、一度の撮影操作によって複数の画像を撮影することのできるモード、例えば連続撮影やAEB（Auto Exposure Bracketing）、インターバル撮影などのうち、少なくとも一つの撮影モードであることを特徴とする撮像装置。
【請求項３】
請求項1乃至2記載の撮像装置において、ユーザの所望の記録可能画像量を前記容量不足として設定し、管理する制御手段を有する撮像装置。
【請求項４】
請求項1乃至3記載の撮像装置において、所定の評価項目における評価を各画像に対して付与する画像評価手段を有し、前記各画像群を表示する際に、各画像の画像評価手段による画像評価に基づいて表示するように制御する制御手段を有することを特徴とする撮像装置。
【請求項５】
前記画像評価手段は、合焦度合いによって各画像を評価することを特徴とする。
【請求項６】
前記画像評価手段は、露出の適正度合いによって各画像を評価することを特徴とする。
【請求項７】
前記画像評価手段は、手ぶれの度合いによって各画像を評価することを特徴とする。
【請求項８】
請求項1乃至4記載の撮像装置において、撮影した各画像群を管理するステップ1と、撮影した画像を前記記録手段に記録した後、前記記録可能画像量を算出するステップ2と、前記容量不足を検出する検出手段によって容量不足か否かを判定するステップ3と、ステップ3において容量不足であると判定した際には、前記各画像群を表示するステップ4と、ステップ4の表示において選択決定された画像群をマルチ画像表示するステップ5と、ステップ5の表示において選択決定された画像を削除するステップ6とを有することを特徴とする削除候補画像の表示方法および削除方法。
【請求項９】
請求項8記載の表示方法および削除方法において、前記ステップ1は撮影した動画群をも管理し、前記ステップ2は記録可能な動画量をも算出し、前記ステップ4は動画群をも表示し、前記ステップ4の表示において動画が選択決定された場合には、動画を削除する前記ステップ6とを有することを特徴とする削除候補画像の表示方法および削除方法。
【発明の詳細な説明】
【技術分野】
【０００１】
本発明は、ある撮影チャンスにおいて一度の撮影操作により、複数枚の画像を撮影することのできる、例えば連続撮影（以降連写と呼ぶ）やAEB（Auto Exposure Bracketing）、インターバル撮影モード等、複数の撮影機能を備えたデジタルカメラ等の撮像装置、撮像装置の制御方法、及び撮像装置の画像表示方法に関するものである。
【背景技術】
【０００２】
近年、レンズを通して光学的に得られた画像を、撮像素子を通じて電気信号に変換し、画像処理を施し、これを外部記憶媒体に記録する撮像装置が普及している。また、撮像装置で撮影された画像や動画ファイルを記録する外部記録媒体として、コンパクトフラッシュ（登録商標）といった媒体が実用化され、普及している。そして、外部記録媒体の記録容量は年々増大している傾向にあり、より多くの画像や動画ファイルを記録することが可能となっている。
【０００３】
また、上述の撮像装置においては、撮影した画像および動画ファイルを外部記録媒体から削除できるという特徴を持つものが一般的である。撮影した画像が所望の出来栄えでない場合や、より多くの画像を撮影、記録する為に外部記録媒体の容量を確保したい場合には、ユーザは任意の画像を削除することが可能である。
【０００４】
このような撮像装置において、画像を削除する際には撮影済み画像を一枚ずつ画面一杯に表示してコマ送りして削除したい画像を検索する方法や、画面上に複数枚のサムネイル画像を一度に表示する、所謂マルチ画像表示を行い、そのマルチ画像を参照しながら所望の削除画像を検索するといった方法を備えた撮像装置が知られている（例えば、特許文献１）。
【特許文献１】特開２００２-３６９１２５号公報
【発明の開示】
【発明が解決しようとする課題】
【０００５】
しかしながら、上記のような撮像装置においては、より多くの画像や動画ファイルの外部記録媒体への記録が可能となっていく一方で、撮影済み画像を参照する際に、多くの画像の中から所望の画像を検索することがより困難になってきている。特に、外部記録媒体の記録容量がフルになった際に、容量不足を解消する為に不要な画像を削除したいという要求に対しても、従来の画像一枚をコマ送りする表示方法では、不要な画像を検索するのに時間がかかってしまい、シャッターチャンスを逃すことになってしまう。また、サムネイル画像のマルチ画像表示方法においても、一画面に一度に表示される画像の枚数には限りがあり、近年の撮像装置の小型化に伴う表示パネルの小型化が進んでいるという状況も加味すると、十分な表示方法であるとは言えない。
【０００６】
本発明は、以上の状況に鑑みなされたもので、差分の少ないと想定される画像群を表示し、ユーザにとって不要であると思われる撮影済み画像の検索を短時間で容易に行い、画像を削除することを可能とする制御手段と表示手段を備えた撮像装置を提供するものである。
【課題を解決するための手段】
【０００７】
本発明は、上記目的を達成する為に以下の通りに構成した。
（１）画像を記録する記録手段と、画像および画像の属性情報を表示する表示手段と、画像が如何なる撮影モードで撮影された画像群に所属するかを管理する管理手段と、前記記録手段に対して記録可能な画像量を算出する算出手段と、前記算出手段により前記記録手段の容量不足を検出する検出手段と、前記検出手段が容量不足を検出した際に、前記管理手段によって管理されている各画像群別に削除候補を表示するように制御する制御手段とを有する撮像装置。
（２）前記（１）記載の撮像装置において、前記撮影モードとは、一度の撮影操作によって複数の画像を撮影することのできるモード、例えば連続撮影やAEB（Auto Exposure Bracketing）、インターバル撮影などのうち、少なくとも一つの撮影モードであることを特徴とする撮像装置。
（３）前記（１）乃至（２）記載の撮像装置において、ユーザの所望の記録可能画像量を前記容量不足として設定し、管理する制御手段を有する撮像装置。
（４）前記（１）乃至（３）記載の撮像装置において、所定の評価項目における評価を各画像に対して付与する画像評価手段を有し、前記各画像群を表示する際に、各画像の画像評価手段による画像評価に基づいて表示するように制御する制御手段を有することを特徴とする撮像装置。
（５）前記（４）記載の画像評価手段は、合焦度合いによって各画像を評価することを特徴とする。
（６）前記（４）記載の画像評価手段は、露出の適正度合いによって各画像を評価することを特徴とする。
（７）前記（４）記載の画像評価手段は、手ぶれの度合いによって各画像を評価することを特徴とする。
（８）前記（１）乃至（４）記載の撮像装置において、撮影した各画像群を管理するステップ1と、撮影した画像を前記記録手段に記録した後、前記記録可能画像量を算出するステップ2と、前記容量不足を検出する検出手段によって容量不足か否かを判定するステップ3と、ステップ3において容量不足であると判定した際には、前記各画像群を表示するステップ4と、ステップ4の表示において選択決定された画像群をマルチ画像表示するステップ5と、ステップ5の表示において選択決定された画像を削除するステップ6とを有することを特徴とする削除候補画像の表示方法および削除方法。
（９）前記（８）記載の表示方法および削除方法において、前記ステップ1は撮影した動画群をも管理し、前記ステップ2は記録可能な動画量をも算出し、前記ステップ4は動画群をも表示し、前記ステップ4の表示において動画が選択決定された場合には、動画を削除する前記ステップ6とを有することを特徴とする削除候補画像の表示方法および削除方法。
【０００８】
上記構成によれば、外部記録媒体の容量不足をユーザの所望のタイミングで設定し、容量不足を検知した時には差分の少ないと想定される画像群やデータサイズが大きいと想定される動画を表示することにより、また、各画像に評価を与えることにより、ユーザにとって不要であると思われる撮影済み画像の検索および削除を短時間で容易に行い、画像を削除することが可能である。
【発明の効果】
【０００９】
以上詳記したように本発明によれば、ユーザ所望のタイミングで、差分の少ないと想定される画像群、データサイズが大きいと想定される動画を表示し、また各画像の評価をも与えることを実現可能とし、ユーザにとって不要であると思われる削除候補画像の検索および削除を短時間で容易に行うことを実現可能とした。
【発明を実施するための最良の形態】
【００１０】
以下、本発明の各実施の形態を図面に基づき説明する。
【００１１】
＜実施の形態１＞
まず、本発明の第1の実施の形態を図１乃至図４を参照して説明する。
【００１２】
図２は、本実施の形態に係る撮像装置の基本的な構成の一例を示すブロック図である。同図において、撮影レンズ200によって、CCD等で構成される撮像素子202上に結像された被写体像を撮像素子制御部204にてノイズ除去やゲイン調整を施した後、A/D変換して電気信号を得る。画像処理部206では、撮像素子制御部204にてデジタル化された画像データのホワイトバランスや露出の調整、色変換処理等を施し、YUVやJPEGといったデータ形式に変換する。表示制御部212では、YUV形式の画像データをLCD等の表示装置210に表示、非表示するといった制御を行う。
【００１３】
208はCPUであり、ROM218に記憶されたプログラムに従って撮像装置全体を制御する。RAM220は、CPU208や画像処理部206のワーキングエリアとして用いられる。また、メモリ216は画像データを記録保存する領域であり、外部記録媒体もこれに含まれる。214は入力装置であり、ユーザの操作に基づいて操作状態をCPU208に伝達し、CPU208はその操作状態に応じた制御を行う。222はレンズやCCD、表示装置等の各駆動系および各ICに電源を供給する電池等の電源部である。
【００１４】
次に、本実施の形態に係る撮像措置において、外部記録媒体の容量不足が検知された際の動作の流れについて、図１のフローチャートに基づき説明する。
【００１５】
外部記録媒体の容量不足を検知した場合、まず、ステップS100で容量不足通知画面を表示し、ユーザに対してこれ以上の画像データの記録が不可能であることを通知する。続いてステップS102で、削除候補画像を表示するか否かを選択させる表示を行い、ユーザが撮影済み画像の中から画像を削除して容量不足を解消したいか否かを問う。
【００１６】
ステップS104では、ユーザが撮影済み画像の削除を行うか否かを選択し決定するのを待つ。そして、撮影済み画像の削除を行わないと決定された際にはステップS100に戻り、容量不足通知画面を表示し、ユーザに対して外部記録媒体の交換を促すなどの表示をする。撮影済み画像の削除を行うと決定された際にはステップS106に進む。
【００１７】
ステップS106では、図３に示すような削除候補画像群選択画面を表示する。図３は本実施の形態における削除候補画像群選択画面表示の一例である。300はLCD等の表示パネルであり、図２中210の表示装置を示す。
【００１８】
314部には、外部記録媒体に記録保存されている、ある撮影チャンスにおいて撮影された画像が複数となるモード、例えば連写やAEB（Auto Exposure Bracketing）、インターバル撮影といったモードで撮影された画像群のモードと、同じモードで撮影された画像群を区別する為のモード別インデックス番号、各画像群に属する画像の枚数が表示されている。312は撮影モードとインデックス番号であり、304はその画像群に属する画像の枚数である。また、302は現在どの画像群が選択されているかを指し示すマークであり、図示の通り枠を囲んだり、ハイライト表示しても良い。310は、現在選択されている画像群を代表する1枚の画像を選び表示している。上記代表画像は、画像群の一枚目の画像でも良いし、画像評価基準に基づいた削除候補の筆頭画像であっても良い。306は代表画像310の撮影日時、308は残り撮影可能枚数を示す。306、308表示部には、シャッタースピードや露出補正量など他の撮影情報やカメラに関する情報を表示しても良い。
【００１９】
ステップS108ではユーザがどの画像群を選択するのか、または画像の削除をキャンセルするかの決定を待つ。撮影済み画像の削除を行わないと決定された際にはステップS102に戻る。画像群が選択決定されるとステップS110に進む。
【００２０】
ステップS110では、図４に示すように、選択された画像群の各画像をサムネイル表示する。400は、表示している画像群のモード、インデックス番号、枚数である。402は現在選択されている画像を示すマークであり、図示の通り画像を囲んだり、ハイライト表示したりしても良い。
【００２１】
ステップS112では、ユーザがどの画像を選択するのか、または削除候補画像群選択画面に戻るかの決定を待つ。削除候補画像群選択画面に戻る決定がされると、ステップS106に戻る。一枚の画像が決定されるとステップS114に進む。
【００２２】
ステップS114では、選択された画像一枚をフル画面表示する。続くステップS116では、表示されている画像を削除するか否かの決定を待つ。削除が決定されると、ステップS118に進み選択画像を削除し、ステップS110に戻り、選択画像群が表示される。S116で戻る決定がされるとステップS110に戻り、選択画像群が表示される。
【００２３】
以上のように、本実施の形態によれば、次のシャッターチャンスを逃すことがないよう、ユーザにとって不要であると思われる撮影済み画像を容易に、かつ素早く表示し、ユーザが削除したい画像の検索を容易に行うことを可能とし、操作性、利便性が向上する。
【００２４】
＜実施の形態２＞
次に、本発明の第２の実施の形態を図５を参照して説明する。尚、本実施の形態に係る撮像装置の基本的な構成は、上述の実施の形態1の図２と同一である。
【００２５】
上述の実施の形態１では、削除候補画像を表示するのは外部記録媒体の容量不足を検知した場合として例示したが、本実施の形態においては、削除候補画像を表示するタイミングを、残り撮影可能枚数がユーザが指定した枚数以下となった時点とするものである。
【００２６】
図５は、本実施の形態に係る撮像装置の特徴を示す表示制御を示すフローチャートであり、上述の実施の形態１における図１に対応する図である。
【００２７】
図５において、撮影終了毎に進むステップS500では、残り撮影可能枚数と、ユーザが前もって設定した削除候補画像を表示したいタイミングを示す残り撮影可能枚数とを比較する。残り撮影可能枚数がユーザ設定枚数より多い場合には、例えばEVF表示等の通常の撮影時画面となる。撮影可能枚数がユーザ設定枚数以下となった場合には、図１のステップS106へと進み、以降、実施の形態1と同様に図１のフローチャートに従って動作する。
【００２８】
尚、本実施の形態における其の他の構成および動作は上述した実施の形態１と同様であるので、その説明は省略する。
【００２９】
以上のように、本実施の形態によれば、前述した実施の形態１で得られる削除候補画像表示、検索の操作性、利便性に加えて、ユーザ任意のタイミングで表示、検索を行うことができ、更なる利便性の向上が望める。
【００３０】
＜実施の形態３＞
次に、本発明の第３の実施の形態を図６および図７を参照して説明する。尚、本実施の形態に係る撮像装置の基本的な構成は上述の実施の形態1の図２と同一である。
【００３１】
上述の実施の形態１及び実施の形態２では、削除候補画像群の1つが選択決定された際に、その画像群に含まれる画像をサムネイル表示する場合を例示したが、本実施の形態においては、サムネイル表示の際に、ピンぼけや露出アンダー、露出オーバー、手ぶれ等、より削除候補となり得る画像をユーザが認識し、選択しやすくするものである。
【００３２】
図６は、本実施の形態に係る撮像装置の特徴を示す動作の一例をフローチャートで示したものである。ある撮影モードが選択されている状態で、ステップS600では、LCD等の表示装置にEVF表示を行っている。ただし、EVF非表示状態で撮影に望む場合もこのステップに含まれる。
【００３３】
ステップS602では、レリーズ、再生モードへの変更等ユーザの指示を待つ。指示を待っている間はEVF表示を続けている。再生モードへの変更が指示されると、撮影モードを終了し、再生モードに移行し、本制御は終了となる。また、レリーズボタンが押され撮影が行われるとステップS604に進む。
【００３４】
ステップS604では、撮像素子制御部においてデジタル化された画像データのホワイトバランスや露出の調整、色変換処理等を施すといった画像処理が行われる。
【００３５】
次に、ステップS606では、撮影された画像データの撮影モードを判別する。連写モードであった場合にはステップS608で合焦の適正度検出を行いステップS612へ、AEBモードであった場合にはステップS610で露出の適正度検出を行いステップS612へ、また、其の他のモードで撮影された場合にはステップS612に進む。ステップS612の後処理においては、画像データをYUVやJPEGといったデータ形式に変換するといった処理が施される。
【００３６】
ここで、ステップS604からステップS612を含む画像処理620は、本実施例の構成を示す図２の206画像処理部における処理である。次に、ステップS608およびステップS610の画像の評価を行う処理について詳細を説明する。
【００３７】
ステップS608では、連写された画像に多いと想定されるピンぼけ画像を抽出すべく、合焦適正度検出を行い、画像を評価する。ステップS610では、AEBモードで撮影された画像に対して、ユーザの望まない露出調整を施しているケースが想定される為、露出適正度検出を行い、露出アンダーや露出オーバー画像を抽出し、画像評価を行う。
【００３８】
ここで、合焦適正度を検出する方法としては、画像の属性情報における測距枠位置より主被写体を判別し、主被写体領域付近のエッジ量を算出して合焦が適正であるかどうか判定できる。
【００３９】
また、露出適正度を検出する方法としては、画像の累積ヒストグラムを算出し、そのヒストグラムにおいて例えば明るい方から１％にあたる階調が、例えば256階調のハイライトから10％の階調よりも小さければ露出アンダーと判定し、一方、暗い方から1％にあたる階調が、シャドウから10％よりも上にあれば露出オーバーと判定するといった方法が挙げられる。
【００４０】
本実施例においては画像の評価指標として、合焦適正度、露出適正度を採用しているが、手ぶれ度合い等の他の指標を用いてももちろん良い。尚、手ぶれを検出する方法としては、画像の属性情報における測距枠位置より主被写体を判別し、主被写体領域付近のエッジ量を算出するといった方法が挙げられる。
【００４１】
また、本実施例においては、連写モード時には合焦適正度検出を、AEBモード時には露出適正度検出を行っているが、撮影モードと検出する評価指標、およびそれらの組み合わせは一例であり、本実施例に縛られることはなく、例えばTv優先で撮影する際には手ぶれ度合いを指標とする、またAv優先で撮影する際には露出適正度を指標とするといった、あらゆる組み合わせを実現することが可能であり、好ましい。
【００４２】
続くステップS614では、外部または記録媒体への画像記録を行い、ステップS616では、620で画像の評価を行った場合には、その評価を保持する。
【００４３】
続くステップS618では、残り撮影可能枚数を計算し、残り撮影可能枚数がゼロ、またはユーザが前もって設定した枚数と等しければ、記録容量不足であると判定し、以降、図1のフローチャートに従って動作する。一方、まだ記録容量に余裕がある場合にはステップS700に戻る。
【００４４】
図７は、本実施の形態に係る撮像装置の特徴を示す表示画面の一例であり、上述の実施の形態1及び実施の形態2の図４に対応する図である。削除候補画像群のマルチ画像表示に関する。
【００４５】
図７において、700は、予め検出しておいたピンぼけ画像や露出アンダーまたは露出オーバー画像、すなわち画像群の中でも特に削除候補として挙げられる画像であり、ユーザに通知する目的で画像周辺を枠で囲んで表示しているものである。ハイライト点滅させたり、画像自体を点滅させたり等してユーザに通知しても良い。
【００４６】
尚、本実施の形態における其の他の構成および動作は上述した実施の形態１または２と同様であるので、その説明は省略する。
【００４７】
以上のように、本実施の形態によれば、前述した実施の形態１および2によって得られる削除候補画像表示、検索の操作性、利便性に加えて、画像の優劣を決めてユーザが削除候補をより絞りやすくするような表示、検索を実現することができ、更なる操作性、利便性の向上が望める。
【００４８】
＜実施の形態４＞
次に、本発明の第4の実施の形態を図８乃至図10を参照して説明する。尚*/741、本実施の形態に係る撮像装置の基本的な構成は上述の実施の形態1の図２と同一である。
【００４９】
上述した実施の形態1乃至実施の形態3では、ユーザが削除する対象として静止画像を取り上げたが、本実施例においては、動画も削除候補として表示するものである。一般的に静止画と比べてデータサイズが大きい動画を削除することにより、一度の削除操作でより多くの空き容量を確保するものである。
【００５０】
図８は、本実施の形態に係る撮像装置の特徴を示す動作のフローチャートであり、上述の実施の形態１における図１に対応する。
【００５１】
外部記録媒体の容量不足を検知した場合、まず、ステップS800で容量不足通知画面を表示し、ユーザに対してこれ以上の画像データの記録が不可能であることを通知する。続いてステップS802で、削除候補画像を表示するか否かを選択させる表示を行い、ユーザが撮影済み画像の中から画像を削除して容量不足を解消したいか否かを問う。
【００５２】
ステップS804ではユーザが撮影済み画像の削除を行うか否かを選択し決定するのを待つ。そして、撮影済み画像の削除を行わないと決定された際にはステップS800に戻り、容量不足通知画面を表示し、外部記録媒体の交換を促すなどする。撮影済み画像の削除を行うと決定された際にはステップS806に進む。
【００５３】
ステップS806では、図９に示すような削除候補画像群選択画面を表示する。図９は、本実施の形態に係る撮像装置の特徴を示す表示画面の一例であり、上述の実施の形態１における図３に対応する。900はLCD等の表示パネルであり、図２中210の表示装置を示す。914部には、外部記録媒体に記録保存されている動画と、ある撮影チャンスにおいて撮影された画像が複数となる撮影モード、例えば連写やAEB（Auto Exposure Bracketing）、インターバル撮影といった撮影モードで撮影された画像群のモードと、同じモードで撮影された画像群を区別する為のモード別インデックス番号、各画像群に属する画像の枚数が表示されている。ただし、動画に関しては図示の通り、画像の枚数表示は行わなくても良い。912は動画を含む撮影モードとインデックス番号であり、904はその画像群に属する画像の枚数である。また、902は現在どの動画または画像群が選択されているかを指し示すマークであり、図示の通り枠を囲んだり、ハイライト表示したりしても良い。910は、動画が選択されている場合には、最初の場面またはその動画の特徴を最も良く表す場面を表示し、画像群が選択されている場合には、画像群を代表する1枚の画像を選び表示している。上記画像は、画像群の一枚目の画像でも良いし、画像評価基準に基づいた削除候補の筆頭画像であっても良い。906は表示中の動画または画像の撮影日時、908は残り撮影可能枚数を示す。ここで、データサイズが静止画に比べて大きいと想定される動画を削除することによって複数枚の静止画像を撮影することが可能になるので、動画が選択されている場合には、図示する様に現在の撮影可能枚数と選択動画削除後の撮影可能枚数を表示するのが好ましい。906、908には、シャッタースピードや露出補正量など他の撮影情報やカメラに関する情報を表示しても良い。
【００５４】
ステップS808ではユーザがどの画像群を選択するのか、または画像削除をキャンセルするかの決定を待つ。撮影済み画像の削除を行わないと決定された際にはステップS802に戻る。画像群が選択決定されるとステップS810に進む。
【００５５】
ステップS810では選択された画像群の画像の種類を判別する。動画の場合にはステップS812へ、静止画の場合にはステップS820へと進む。
【００５６】
画像の種類が動画であった場合のステップS812では、図10に示すように選択された動画の先頭シーン等を表示する。1000はLCD等の表示パネルであり、図２中210の表示装置を示す。
【００５７】
1002は、選択された動画の先頭シーンである。1004はユーザが選択決定できる操作メニューを一覧表示している。図10においては、再生、停止、編集、削除、戻る操作を例示しているが、その他、一時停止、早送り、巻き戻しや他の動画を表示するといった操作を追加する等して良い。1006は現在どの操作が選択されているかを指し示すマークであり、図示の通り枠を囲んだり、ハイライト表示しても良い。1008は現在の残り撮影可能枚数と、表示している動画を削除した場合の残り撮影可能枚数を表示している。1010は表示している動画のインデックス番号である。
【００５８】
ステップS814では、選択されている動画を削除するか、動画に対して再生や編集等の操作を行うかの指示を待つ。削除が選択された場合には、ステップS816に進み、動画ファイルを削除してステップS806に戻る。ステップS814で動画に対する操作が選択決定された場合には、ステップS818に進み、動画に対する処理を施し、ステップS812へ戻る。
【００５９】
一方、画像の種類が静止画であった場合のステップS820では、第1の実施の形態と同様、図４に示すように選択された画像群の各画像をサムネイル表示する。
【００６０】
ステップS822では、ユーザがどの画像を選択するのか、または削除候補画像群選択画面に戻るかの決定を待つ。削除候補画像群選択画面に戻る決定がされると、ステップS806に戻る。一枚の画像が決定されるとステップS824に進む。
【００６１】
ステップS824では、選択された画像一枚をフル画面表示する。続くステップS826では、表示されている画像を削除するか否かの決定を待つ。削除が決定されると、ステップS828に進み選択画像を削除し、ステップS820に戻り、選択画像群が表示される。S826で戻る決定がされるとステップS820に戻り、選択画像群が表示される。
【００６２】
尚、本実施の形態における其の他の構成および動作は上述した実施の形態１と同様であるので、その説明は省略する。
【００６３】
以上のように、本実施の形態によれば、前述した実施の形態１によって得られる削除候補画像表示、検索の操作性、利便性に加えて、一度の削除操作でより多くの記録容量を確保することができ、削除効率の向上を実現することができる。
また、本発明は上記各実施の形態のみに限定されることなく、発明の要旨に沿う範囲で適宜変形して実施できる。
【図面の簡単な説明】
【００６４】
【図１】本発明の第1の実施の形態に係る撮像装置の動作を示すフローチャート。
【図２】本発明の第1の実施の形態に係る撮像装置の構成例を示すブロック図。
【図３】本発明の第1の実施の形態に係る撮像装置の表示例を示す図。
【図４】本発明の第1の実施の形態に係る撮像装置の表示例を示す図。
【図５】本発明の第2の実施の形態に係る撮像装置の動作を示すフローチャート。
【図６】本発明の第3の実施の形態に係る撮像装置の動作を示すフローチャート。
【図７】本発明の第3の実施の形態に係る撮像装置の表示例を示す図。
【図８】本発明の第4の実施の形態に係る撮像装置の動作を示すフローチャート。
【図９】本発明の第4の実施の形態に係る撮像装置の表示例を示す図。
【図１０】本発明の第4の実施の形態に係る撮像装置の表示例を示す図。
【符号の説明】
【００６５】
200  レンズ
202  撮像素子
204  撮像素子制御部
206  画像処理部
208  CPU
210  表示装置
212  表示制御部
214  入力装置
216  メモリ
218  ROM
220  RAM
222  電源部
【図１】
2006115289.tif 000003
【図２】
2006115289.tif 000004
【図３】
2006115289.tif 000005
【図４】
2006115289.tif 000006
【図５】
2006115289.tif 000007
【図６】
2006115289.tif 000008
【図７】
2006115289.tif 000009
【図８】
2006115289.tif 000010
【図９】
2006115289.tif 000011
【図１０】
2006115289.tif 000012